(57)【要約】【課題】  視聴者（操作者）の操作にストレスを与えることなく、スムーズな通常再生と要約再生の動作状態の切り換えを行うことのできる録画再生システムを提供する。【解決手段】  録画操作または録画予約操作によりストレージ１２に録画ファイルを格納する録画再生システム１であって、録画操作または録画予約操作による録画時に録画ファイルの要約再生情報を生成し、ストレージ１２に格納する要約情報生成部１１と、要約再生情報に基づいた録画ファイルの要約再生を指示する要約再生ボタンと、録画ファイルの再生を指示する再生ボタンによって開始された通常再生中に、要約再生ボタンからの指示により通常再生状態と要約再生状態を切り換える全体制御部１０とを備えた。【選択図】  図１
2006217163.tif 000002
【特許請求の範囲】
【請求項１】
録画操作または録画予約操作によりストレージに録画ファイルを格納する録画再生システムであって、
前記録画操作または前記録画予約操作による録画時に前記録画ファイルの要約再生情報を生成し、前記ストレージに格納する要約情報生成手段と、
前記要約再生情報に基づいた前記録画ファイルの要約再生を指示する要約再生操作手段と、
前記録画ファイルの再生を指示する再生操作手段によって開始された通常再生中に、前記要約再生操作手段からの指示により通常再生状態と要約再生状態を切り換える全体制御手段とを備えたことを特徴とする録画再生システム。
【請求項２】
請求項１記載の録画再生システムにおいて、
前記全体制御手段は、前記録画操作または前記録画予約操作による録画動作中においても、前記録画動作中の録画ファイルおよび前記録画動作中の録画ファイルの前記要約再生情報に基づいて、前記要約再生操作手段からの指示により前記録画動作中の録画ファイルの通常再生状態と要約再生状態を切り換えることを特徴とする録画再生システム。
【請求項３】
請求項１または２記載の録画再生システムにおいて、
前記要約再生操作手段を、前記通常再生中の前記再生操作手段による操作により実施することを特徴とする録画再生システム。
【請求項４】
請求項１、２または３記載の録画再生システムにおいて、
前記全体制御手段は、前記要約再生状態の際、要約再生中の画面に、要約再生中であることを示す文字または絵文字を表示することを特徴とする録画再生システム。
【請求項５】
請求項１、２、３または４記載の録画再生システムにおいて、
前記要約再生情報に基づいた前記録画ファイルの要約再生は、前記要約再生情報により要約再生する部位は再生し、前記要約再生しない部位の再生はスキップ、または早送りで再生することを特徴とする録画再生システム。
【発明の詳細な説明】
【技術分野】
【０００１】
本発明は、放送や通信などによって送られてくる動画像情報を、録画し再生を行う録画再生システムに関し、特に、通常再生と要約再生との動作状態遷移が容易な録画再生システムに関するものである。
【背景技術】
【０００２】
従来、録画再生システムにおいて、要約録画を実現するために、録画ファイルの音声の大きさ情報を用いて、重要な場面のみを抽出する情報を取り出し、いわゆるダイジェスト再生を可能とするシステムとして、特許文献１記載の録画装置などが挙げられる。
【特許文献１】特開２００２−３３０３９０号公報
【発明の開示】
【発明が解決しようとする課題】
【０００３】
特許文献１記載の技術によれば、長い番組の大事な場面のみを示す情報を取り出し、短時間で録画ファイルが再生できるといった効果があった。しかしながら、要約再生中に、視聴者（操作者）の好みに応じて、録画された情報を要約することなく、通常の再生を行う指示方法や実現方法については、考えられていなかった。
【０００４】
また、通常再生中に、要約再生に移るための指示方法や実現方法については、考えられていなかった。
【０００５】
また、録画中に、その録画ファイルの再生するといった時間をずらして視聴する場合に、要約再生を実施するといった使い勝手の向上を図る実現方法については、考えられていなかった。
【０００６】
本発明の目的は、これら要約再生機構を備えた録画再生システムにおいて、視聴者（操作者）の操作にストレスを与えることなく、スムーズな通常再生と要約再生の動作状態の切り換えを行うことのできる録画再生システムを提供することにある。
【課題を解決するための手段】
【０００７】
本発明による録画再生システムは、録画操作または録画予約操作によりストレージに録画ファイルを格納する録画再生システムであって、録画操作または録画予約操作による録画時に録画ファイルの要約再生情報を生成し、ストレージに格納する要約情報生成手段と、要約再生情報に基づいた録画ファイルの要約再生を指示する要約再生操作手段と、録画ファイルの再生を指示する再生操作手段によって開始された通常再生中に、要約再生操作手段からの指示により通常再生状態と要約再生状態を切り換える全体制御手段とを備えたものである。
【発明の効果】
【０００８】
本発明によれば、通常再生状態と要約再生状態を切り換えるために、再生ボタンを押して、通常再生状態に移った後、操作者の好みに応じて、要約再生ボタンを押すと、要約再生状態に移り、また、再度、要約再生ボタンを押すと通常再生状態に戻るといった非常に簡単な操作で、通常再生状態と要約再生状態を切り換えることが可能である。
【発明を実施するための最良の形態】
【０００９】
以下、本発明の実施の形態を図面に基づいて詳細に説明する。なお、実施の形態を説明するための全図において、同一の部材には原則として同一の符号を付し、その繰り返しの説明は省略する。
【００１０】
（実施の形態１）
＜録画再生システムの構成＞
図１〜図５より、本発明の実施の形態１に係る録画再生システムの構成について説明する。図１〜図５は本発明の実施の形態１に係る録画再生システムの構成を示す図であり、図１は録画再生システムの構成を示す構成図、図２は録画再生システムの外観構成を示す外観図、図３は録画再生システムのリモコンの構成を示す図、図４は録画再生システムの前面操作部の構成を示す図、図５は録画再生システムのストレージの格納構成を示す図である。
【００１１】
図１において、録画再生システム１は、アンテナ２、チューナ３、エンコーダ４、デコーダ５、表示制御部６、リモコン受光部７、前面操作部８、録画制御部９、全体性魚種団である全体制御部１０、要約生成手段である要約情報生成部１１、ストレージ１２、再生制御部１３、追加表示部１４、システムバス１５から構成され、表示制御部６から映像信号１６が出力されている。
【００１２】
図２において、録画再生システム１には、リモコン２１が備えられており、映像ケーブル２４を介して表示装置２２が接続され、アンテナケーブル２３を介して、アンテナ２が接続されている。
【００１３】
図３および図４において、リモコン２１および前面操作部８には、電源ボタン３０、チャンネル切換ボタン３１、要約再生操作手段である要約再生ボタン３２、再生操作手段である再生ボタン３３、早送りボタン３４、巻戻しボタン３５、一時停止ボタン３６、停止ボタン３７、録画停止ボタン３８、録画開始ボタン３９、予約ボタン４２が設けられている。
【００１４】
また、リモコン２１によるユーザ操作は、リモコン受光部７を通じて、録画再生システム１に伝えられ、前面操作部８によるユーザ操作は、前面操作部８から直接、録画再生システム１に伝えられる。また、録画再生システム１の表示制御部６から出力された映像信号１６が映像ケーブル２４を通じて表示装置２２に伝えられ、動画像として表示装置２２に表示される。
【００１５】
図５において、録画再生システム１のストレージ１２には、録画ファイル４０の他に、録画ファイル４０を要約再生するための要約再生情報４１が格納されている。
【００１６】
＜録画再生システムの録画機能および再生機能＞
次に、図１〜図５により、本発明の実施の形態１に係る録画再生システムの録画機能および再生機能について説明する。
【００１７】
まず、全体制御部１０は、リモコン受光部７を介したリモコン２１からの操作や、前面操作部８の操作によって、選局や録画開始操作を受ける。これは、図３に示すリモコン２１のチャンネル切換ボタン３１や、図４に示す前面操作部８のチャンネル切換ボタン３１で、テレビ放送チャンネルの選局を行い、録画開始ボタン３９によって、録画開始操作指示が操作者によって実施される。
【００１８】
全体制御部１０は、チューナ３に選局を指示し、アンテナ２から受信したテレビ放送を選局する。録画制御部９は、全体制御部１０からの指示で録画を開始するために、エンコーダ４に対し、動画圧縮処理開始を指示し、エンコーダ４の出力は、ストレージ１２に録画ファイルして保存される。
【００１９】
この録画ファイルは、図５の録画ファイル４０に示すように、ストレージ１２内部に格納される。録画ファイル４０がストレージ１２内部に格納される際には、要約情報生成部１１によって要約再生情報４１が生成され、録画ファイル４０と対でストレージ１２内部に格納される。
【００２０】
また、操作者によって、リモコン２１の録画停止ボタン３８や、前面操作部８の録画停止ボタン３８が操作されると、リモコン受光部７や前面操作部８からその操作指示が全体制御部１０に伝えられる。
【００２１】
そして、全体制御部１０は、その操作指示を受けて、録画制御部９に指示し、録画制御部９は、エンコーダ４の動画圧縮処理停止を指示し、ストレージ１２の録画ファイル４０への保存を停止する。以上の動作によって、録画再生システム１の録画機能が実現され、テレビ放送を受信し録画することが可能である。
【００２２】
録画再生システム１の再生機能については、操作者によって、リモコン２１の再生ボタン３３や、前面操作部８の再生ボタン３３が操作されると、リモコン受光部７や前面操作部８からその操作指示が全体制御部１０に伝えられる。
【００２３】
全体制御部１０は、再生制御部１３に対し再生開始を指示し、再生制御部１３は、ストレージ１２に格納された録画ファイル４０をデコーダ５に送り、動画処理を開始させる。デコーダ５の出力は、表示制御部６を通じて、映像信号１６として録画再生システム１から出力される。以上の動作によって、録画再生システム１の再生機能が実現され、録画しておいた録画ファイルの映像再生が可能である。
【００２４】
＜録画再生システムの録画予約機能＞
次に、図６〜図７により、本発明の実施の形態１に係る録画再生システムの録画予約機能について説明する。図６は本発明の実施の形態１に係る録画再生システムの録画予約機能実行時に生成される要約再生情報を示す図、図７は本発明の実施の形態１に係る録画再生システムの録画予約機能実行時に表示される録画予約設定画面を示す図である。
【００２５】
図６において、要約再生情報４１に格納されている情報としては、時間軸５０、マーカー５１〜５４は、再生可否情報５５〜５９の情報である。
【００２６】
また、要約再生情報４１の各情報は、録画機能実行時に、要約情報生成部１１によって生成されるようになっており、生成アルゴリズムについては、例えば、特開２００４−３０４６７６号公報、特開２００４−３１２５６７号公報、特開２００４−３２００９２号公報などに記載されているような要約の生成アルゴリズムなどが用いられて生成されるようになっている。なお、この要約の生成アルゴリズムについては、これに限らず、要約再生情報４１を生成できるものであれば、どのようなアルゴリズムを用いてもよい。
【００２７】
また、要約情報生成部１１によって生成された要約再生情報４１は、図６に示すように、時間軸５０にそって、マーカー５１から５４によって区切られたものである。ここで、再生可否情報５５から５９によってマーカー５１から５４によって区切られた部位を再生する、しないが表現されており、この図６に示す例では、斜線が表示されている再生可否情報５６と５８が、再生してはいけない部位であり、再生可否情報５５、５７、５９が、再生可能な部位となっている。
【００２８】
このように、要約再生情報４１とは、重要な場面とそうでない場面を示しており、重要な場面のみを再生することで、全体を再生することなく、短時間で要約再生を実現する基本情報となるものである。
【００２９】
なお、要約再生情報４１により要約再生する場合に、再生可否情報５５から５９に基づいて、再生してはいけない部位をスキップし、再生可能な部位だけを再生するのではなく、再生してはいけない部位の再生を早送りで再生するようにしてもよい。
【００３０】
この場合、再生してはいけない部位は、早送りになるが、再生はされるので、全体の流れはとぎれることなく要約として視聴することが可能である。
【００３１】
また、再生可能な部位に対して、重要度のランキングを設定し、要約の再生時間が指定された場合に、重要度のランキングの高い方から要約の再生時間に基づいて、再生可能な部位を選択して要約の情報とすることにより、例えば、１時間の番組に対して、要約を１０分で見るのか、３０分で見るのかなど、異なる要約の再生時間により、最適な要約再生を行うことが可能である。
【００３２】
図７において、録画予約設定画面６０としては、録画チャンネル６２、番組情報６３、開始日時６４、終了日時６５、要約情報作成６６の情報が表示される。
【００３３】
録画再生システム１の録画予約機能としては、まず、ユーザの操作によって、図３に示すリモコン２１の予約ボタン４２や、図４に示す前面操作部８の予約ボタン４２が押されると、全体制御部１０は、追加表示部１４を用いて、図７に示すような録画予約設定画面６０を生成し、表示制御部６を通じて、表示装置２２上に、録画予約設定画面６０が表示される。
【００３４】
図７に示す例では、録画チャンネル６２、開始日時６４、終了日時６５、要約情報作成６６の表示された情報の修正が、リモコン２１や前面操作部８を通じて操作可能となっている。番組情報６３は、放送波やインターネットから取得した電子番組表情報などから得られるものである。
【００３５】
ユーザは、リモコン２１や前面操作部８を操作して、録画予約したい番組の情報を入力し、録画予約を行っていく。なお、この録画予約情報の入力は、電子番組表情報などからの選択することにより入力することもできる。
【００３６】
また、図７に示す例において、要約情報作成６６をＯＮにすると、予約された開始日時になると、録画機能が実行され、要約情報生成部１１が同時に動作を行い、要約再生情報４１が生成される。なお、要約情報作成６６の初期値は、番組情報６３に表示された情報によって、ＯＮ・ＯＦＦ切換が実施されるようになっており、初期値から変更する場合は、ユーザによりリモコン２１や前面操作部８を操作することにより変更する。
【００３７】
そして、録画予約された番組の録画時に生成される要約再生情報４１は、図５に示すように、録画された録画ファイル４０と対でストレージ１２に保存される。
【００３８】
＜録画再生システムの全体制御部、録画制御部、再生制御部の内部動作＞
次に、図８〜図１１により、本発明の実施の形態１に係る録画再生システムの全体制御部、録画制御部、再生制御部の内部動作について説明する。図８〜図１１は、本発明の実施の形態１に係る録画再生システムの全体制御部、録画制御部、再生制御部の内部動作を説明するための図であり、図８は通常再生動作の制御を示すフローチャート、図９は通常再生と要約再生の切換動作時の制御を示すフローチャート、図１０は通常再生中の画面を示す図、図１１は要約再生中の画面を示す図である。
【００３９】
通常再生動作の制御としては、図８に示すように、まず、リモコン２１や前面操作部８を用いて再生開始が指示されると、Ｓ７００からＳ７０１に移り、ストレージ１２の録画ファイル４０の読み出しを実施する。
【００４０】
次に、Ｓ７０２に移り、録画ファイル４０を最後まで読み出したかどうかを判断し、Ｓ７０２でもしファイル終了状態であれば、Ｓ７０５へ移り再生終了となる。Ｓ７０２で、まだファイル終了状態でなければ、Ｓ７０２からＳ７０３に移り、デコーダ５に再生動作を指示を行う。
【００４１】
その後、Ｓ７０４に移り、リモコン２１の停止ボタン３７が押されていた場合には、Ｓ７０５に移り、再生動作を終了する。Ｓ７０４で、停止ボタン３７が押されていない場合には、Ｓ７０１に戻り、再生動作を続ける。以上の動作の結果、通常の再生制御が実施される。
【００４２】
また、通常再生と要約再生の切換動作時の制御としては、図９に示すように、まず、リモコン２１や前面操作部８を用いて再生開始が指示されると、Ｓ８００からＳ８０１に移り、ストレージ１２の録画ファイル４０の読み出しを実施する。
【００４３】
次に、Ｓ８０２に移り、録画ファイル４０を最後まで読み出したかどうかを判断し、もしＳ８０２でファイル終了状態であれば、Ｓ８０８に移り再生終了となる。
【００４４】
また、Ｓ８０２でファイル終了状態でなければ、Ｓ８０２からＳ８０３に移り、録画ファイル４０から再生時間の取得を行う。この再生時間とは、図６に示す要約再生情報４１の時間軸５０と同じ尺度のものであり、後で要約再生処理時に用いるものである。
【００４５】
次にＳ８０４に移り、リモコン２１や前面操作部８の要約再生ボタン３２が押されるとＳ８０９に移る。Ｓ８０９では、現在の要約再生モードを確認し、ＯＮの場合には、Ｓ８１１に移り、要約再生モードをＯＦＦにする。
【００４６】
また、Ｓ８０９で逆に要約再生モードがＯＦＦの場合には、Ｓ８１０に移り、要約再生モードをＯＮに設定する。
【００４７】
続いて、Ｓ８０５に移り、要約再生モードを確認する。要約再生モードがＯＮの場合には、Ｓ８１２に移り、要約再生情報４１を読み出し、Ｓ８１３に移り、先のＳ８０３で取得した再生時間と要約再生情報４１との評価を行い、再生可否部位を確認する。
【００４８】
Ｓ８１３で再生可の場合には、Ｓ８０６に移り、デコーダ５に動画像表示が実施されるよう動画伸張動作が実行され、Ｓ８０７に移る。
【００４９】
また、Ｓ８１３で再生不可の場合には、動画像表示されずにＳ８０７に移り、リモコン２１や前面操作部８の停止ボタン３７が押された場合には、Ｓ８０８に移り再生動作終了となる。
【００５０】
また、Ｓ８０７でリモコン２１や前面操作部８の停止ボタン３７が押されていない場合には、Ｓ８０１に移り、再生動作が続けられる。以上説明した結果、要約再生ボタン３２が押されるたびに、通常再生と要約再生動作を切り換えることが可能となる。
【００５１】
また、この通常再生中と要約再生中の動画表示画面としては、通常再生中は、図１０に示すような映像が、表示装置２２に表示され、図９に示すような動作により要約再生状態になっている場合には、図１１に示すように、要約再生中を示す絵文字９１が表示される。
【００５２】
以上の結果、現在表示されている動画像が、通常再生か、要約再生のどちらで表示されているかが操作者に判断つくような効果がある。
【００５３】
なお、図１１では、表示装置上に表示される例を示したが、その表示位置はどこでもよく、点滅したり、絵文字のデザインはわかりやすいものであれば、いかなる形態であってもよい。また、絵文字９１ではなく要約再生中を示す文字などを表示してもよい。また、表示装置２２上ではなく、録画再生システム１の前面や、リモコン２１に表示部位が存在する形態であってもよい。
【００５４】
（実施の形態２）
実施の形態２は実施の形態１において、リモコン２１に要約再生ボタン３２を設けずに、再生ボタン３３を要約再生ボタンの代わりに使用するようにしたものである。
【００５５】
＜録画再生システムのリモコンの構成＞
図１２により、本発明の実施の形態２に係る録画再生システムのリモコンの構成について説明する。図１２は本発明の実施の形態２に係る録画再生システムのリモコンの構成を示す図である。
【００５６】
実施の形態１では、図３に示すリモコン２１を用いたが、本実施の形態では、図１２に示すリモコン２１を用いている。図３に示すリモコン２１と図１２に示すリモコン２１との違いは、要約再生ボタン３２の有無であり、図１２に示すリモコン２１には、要約再生ボタン３２が存在しない。
【００５７】
図１２に示すリモコン２１を用いる場合、通常再生中は、再生ボタン３３が、図３に示すリモコン２１の要約再生ボタンの代わりを実施するものであり、本実施の形態では、再生ボタン３３を繰り返し押すことで、通常再生と要約再生の状態を切り換えることが可能である。
【００５８】
本実施の形態での通常再生と要約再生の切換動作時の制御としては、図９のＳ８０４における要約再生ボタン３２が押されたことを判断する代わりに、再生ボタン３３が押されたことを判断するのみでよく、本実施の形態では、リモコン２１に新たなボタンを追加することなく、通常再生状態と要約再生状態を切り換えることが可能であり、操作者にとって、最小の部品点数で、使い勝手の向上を図ることができ、利便性が高く、継ぎ目のない操作が実現可能である。
【００５９】
（実施の形態３）
実施の形態３は、実施の形態１において、録画機能処理中の通常再生と要約再生の切換動作を行うようにしたものである。
【００６０】
＜録画機能処理中の通常再生と要約再生の切換時の制御＞
図１３により、本発明の実施の形態３に係る録画再生システムの録画再生中の通常再生と要約再生の切換時の制御を説明する。図１３は本発明の実施の形態３に係る録画再生システムの録画再生中の通常再生と要約再生の切換時の制御を示すフローチャートである。
【００６１】
録画機能処理中の通常再生と要約再生の切換動作時の制御としては、図１３に示すように、まず、リモコン２１や前面操作部８を用いて再生開始が指示されると、Ｓ１０００からＳ１００１に移り、ストレージ１２の録画ファイル４０の読み出しを実施する。
【００６２】
次に、Ｓ１００２に移り、録画ファイル４０を最後まで読み出したかどうかを判断し、Ｓ１００２でもしファイル終了状態であれば、Ｓ１０１４に移り、録画機能処理中の場合には、Ｓ１００１に移り再生処理を続行する。
【００６３】
Ｓ１０１４でもし録画機能処理中でなければ、Ｓ１００８に移り、再生処理終了となる。
【００６４】
Ｓ１００２において、まだファイル終了状態でなければＳ１００２からＳ１００３に移る。なお、Ｓ１００３以降の制御については、図９に示すＳ８０３以降の制御と同一であるので、説明は省略する。
【００６５】
以上説明した結果、録画機能処理中の再生動作において、要約再生ボタン３２が押されるたびに、通常再生と要約再生動作を切り換えることが可能となる。
【００６６】
その結果、例えば、図７に示した録画予約設定画面６０で設定したような録画予約指示の場合、開始日時６４が２００５年４月１日の１９：３０という設定であり、この時間に無人で録画が開始され、終了日時６５に設定された２００５年４月１日の２１：３０に録画が終了するが、この終了時刻までに、操作者が外出先から帰宅するなど、本放送の放送時刻に間に合った場合、再生操作を実施する可能性が存在する。
【００６７】
その場合、操作者の好みに応じて、再生開始を実施後、すぐに要約再生状態とすることで、大事な場面のみを視聴し、本放送の実時間放送に追いつくことが可能となるといった非常に利便性の高い効果が存在する。
【００６８】
（実施の形態４）
実施の形態４は、実施の形態１において、全体制御部１０、録画制御部９、要約情報生成部１１、再生制御部１３をＣＰＵとＲＯＭ、ＲＡＭによって、実装するようにしたものである。
【００６９】
＜録画再生システムの構成＞
図１４より、本発明の実施の形態４に係る録画再生システムの構成について説明する。図１４は本発明の実施の形態４に係る録画再生システムの構成を示す構成図である。
【００７０】
図１４において、録画再生システム１１０は、ＣＰＵ１１１、ＲＯＭ１１２、ＲＡＭ１１３、ＨＤＤ１１４、着脱メディアドライブ１１５から構成され、それ以外の各部の構成は、図１に示す録画再生システム１と同一である。
【００７１】
図１４において、録画再生システム１１０と図１に示す録画再生システム１との違いは、ＣＰＵ１１１とＲＯＭ１１２、ＲＡＭ１１３によって、図１の全体制御部１０、録画制御部９、要約情報生成部１１、再生制御部１３が実装されており、これらの動作をＣＰＵ１１１とＲＯＭ１１２とＲＡＭ１１３によって実施するものである。
【００７２】
また、ストレージ１２は、ＨＤＤ１１４と着脱メディアドライブ１１５で実装されている。
【００７３】
この録画再生システム１１０では、ＣＰＵ１１１、ＲＯＭ１１２、ＲＡＭ１１３といった汎用部品で構成されており、製造価格が低いといった効果がある。
【００７４】
また、パーソナルコンピュータやＤＶＤ（Ｄｉｇｉｔａｌ  Ｖｅｒｓａｔｉｌｅ  Ｄｉｓｋ）レコーダといった録画再生システムにおいて、要約再生機能を実現させることが可能となる。
【００７５】
ここで、着脱メディアドライブ１１５の種別については、制限されるものではなく、時代の要請や普及度合いに応じて、さまざまな媒体が用いることが可能である。
【００７６】
（実施の形態５）
実施の形態５は、実施の形態４において、デジタルチューナを使用して、デジタル放送を受信するものである。
【００７７】
＜録画再生システムの構成＞
図１５より、本発明の実施の形態５に係る録画再生システムの構成について説明する。図１５は本発明の実施の形態５に係る録画再生システムの構成を示す構成図である。
【００７８】
図１５において、録画再生システム１２０は、デジタルチューナ１２１、デコーダ１２２から構成され、それら以外は、図１４に示す録画再生システム１１０と同一である。
【００７９】
図１５において、録画再生システム１２０と図１４に示す録画再生システム１１０との違いは、チューナ３とエンコーダ４が、デジタルチューナ１２１に置き換わっており、またデコーダ５が、デジタルチューナの出力に対応したデコーダ１２２に変更している。
【００８０】
この録画再生システム１２０では、デジタルチューナ１２１によって、デジタル放送に対応するものであり、デジタル放送に対応した録画再生システム１２０においても、要約再生状態と通常再生状態を容易に切換え可能なシステムを構成可能である。
【００８１】
また、図１に示す録画再生システム１の、チューナ３とエンコーダ４を、デジタルチューナ１２１に置き換え、デコーダ５を、デジタルチューナの出力に対応したデコーダ１２２に変更することにより、デジタル方法に対応するようにしてもよい。
【００８２】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００８３】
テレビ番組の録画再生機能を備えたパーソナルコンピュータや、ＤＶＤレコーダといった家電製品に、本発明の録画再生システムを採用することによって、要約再生機能を便利に使い勝手よく備えることが可能であり、時間が限られている現代社会に住む人々にとって、必須の機能となる。
【図面の簡単な説明】
【００８４】
【図１】本発明の実施の形態１に係る録画再生システムの構成を示す構成図である。
【図２】本発明の実施の形態１に係る録画再生システムの外観構成を示す外観図である。
【図３】本発明の実施の形態１に係る録画再生システムのリモコンの構成を示す図である。
【図４】本発明の実施の形態１に係る録画再生システムの前面操作部の構成を示す図である。
【図５】本発明の実施の形態１に係る録画再生システムのストレージの格納構成を示す図である。
【図６】本発明の実施の形態１に係る録画再生システムの録画予約機能実行時に生成される要約再生情報を示す図である。
【図７】本発明の実施の形態１に係る録画再生システムの録画予約機能実行時に表示される録画予約設定画面を示す図である。
【図８】本発明の実施の形態１に係る録画再生システムの通常再生動作の制御を示すフローチャートである。
【図９】本発明の実施の形態１に係る録画再生システムの通常再生と要約再生の切換動作時の制御を示すフローチャートである。
【図１０】本発明の実施の形態１に係る録画再生システムの通常再生中の画面を示す図である。
【図１１】本発明の実施の形態１に係る録画再生システムの要約再生中の画面を示す図である。
【図１２】本発明の実施の形態２に係る録画再生システムのリモコンの構成を示す図である。
【図１３】本発明の実施の形態３に係る録画再生システムの録画再生中の通常再生と要約再生の切換時の制御を示すフローチャートである。
【図１４】本発明の実施の形態４に係る録画再生システムの構成を示す構成図である。
【図１５】本発明の実施の形態５に係る録画再生システムの構成を示す構成図である。
【符号の説明】
【００８５】
１…録画再生システム、２…アンテナ、３…チューナ、４…エンコーダ、５…デコーダ、６…表示制御部、７…リモコン受光部、８…前面操作部、９…録画制御部、１０…全体制御部、１１…要約情報生成部、１２…ストレージ、１３…再生制御部、１４…追加表示部、１５…システムバス、１６…映像信号、２１…リモコン、２２…表示装置、２３…アンテナケーブル、２４…映像ケーブル、３０…電源ボタン、３１…チャンネル切換ボタン、３２…要約再生ボタン、３３…再生ボタン、３４…早送りボタン、３５…巻戻しボタン、３６…一時停止ボタン、３７…停止ボタン、３８…録画停止ボタン、３９…録画開始ボタン、４０…録画ファイル、４１…要約再生情報、４２…予約ボタン、５０…時間軸、５１〜５４…マーカー、５５〜５９…再生可否情報、６０…録画予約設定画面、６２…録画チャンネル、６３…番組情報、６４…開始日時、６５…終了日時、６６…要約情報作成、９１…要約再生中を示す絵文字、１１０…録画再生システム、１１１…ＣＰＵ、１１２…ＲＯＭ、１１３…ＲＡＭ、１１４…ＨＤＤ、１１５…着脱メディアドライブ、１２０…録画再生システム、１２１…デジタルチューナ、１２２…デコーダ。
【図１】
2006217163.tif 000003
【図２】
2006217163.tif 000004
【図３】
2006217163.tif 000005
【図４】
2006217163.tif 000006
【図５】
2006217163.tif 000007
【図６】
2006217163.tif 000008
【図７】
2006217163.tif 000009
【図８】
2006217163.tif 000010
【図９】
2006217163.tif 000011
【図１０】
2006217163.tif 000012
【図１１】
2006217163.tif 000013
【図１２】
2006217163.tif 000014
【図１３】
2006217163.tif 000015
【図１４】
2006217163.tif 000016
【図１５】
2006217163.tif 000017